(57)【特許請求の範囲】
【請求項１】
デジタルマルチメディア放送受信装置において、Ｐ／Ｆ情報を用いた音楽チャンネル予約録音方法であって、
中央処理部から予約録音を指示する制御信号を送信するステップと、
前記中央処理部からの制御信号を受信したマルチメディアモジュールにより、現在再生中の曲においてＰ／Ｆ情報がアップデートされた第１の時点からの経過時間を計時し、前記現在再生中の曲においてアップデートされたＰ／Ｆ情報に含まれる、前記現在再生中の曲の終了時点から、前記第１の時点を減算した第１のインターバル時間を計算するステップと、
前記第１の時点から計時された経過時間が、前記計算された第１のインターバル時間になれば、前記マルチメディアモジュールにより、次に再生される曲の録音を開始するステップと、
前記マルチメディアモジュールにより、予約録音中にＰ／Ｆ情報がアップデートされた第２の時点からの経過時間を計時するステップと、
前記マルチメディアモジュールにより、前記予約録音中にアップデートされたＰ／Ｆ情報に含まれる、前記予約録音中の曲の終了時点から、前記第２の時点を減算した第２のインターバル時間を計算するステップと、
前記第２の時点から計時された経過時間が、前記第２のインターバル時間になれば、前記マルチメディアモジュールにより、前記予約録音中の曲の録音を終了するステップと、
を含むことを特徴とする方法。
【請求項２】
前記マルチメディアモジュールにより、前記中央処理部から自動予約録音を指示する制御信号を受信したか否かを判別するステップと、
前記自動予約録音を指示する制御信号が受信されれば、前記マルチメディアモジュールにより、前記予約録音中の曲の録音を終了すると同時に、次の曲の予約録音を開始するステップと、
をさらに含むことを特徴とする請求項１に記載の方法。
【請求項３】
前記中央処理部により、Ｐ／Ｆ情報から前記現在再生中の曲と前記次に再生される曲との曲名及び歌手名を抽出するステップと、
前記中央処理部により、前記現在再生中の曲と次に再生される曲との前記抽出された曲名及び歌手名を表示するステップと、
をさらに含むことを特徴とする請求項１に記載の方法。
【請求項４】
前記中央処理部から予約録音を指示する制御信号が受信されれば、前記マルチメディアモジュールにより、現在再生中の曲の次に再生される曲に予約録音を設定するステップをさらに含むことを特徴とする、請求項３に記載の方法。
【請求項５】
前記マルチメディアモジュールにより予約録音が設定されなければ、前記中央処理部により、予約録音の設定が可能であるというメッセージを表示するステップをさらに含むことを特徴とする、請求項３に記載の方法。
【請求項６】
前記マルチメディアモジュールにより予約録音が設定されれば、前記中央処理部により、予約録音の設定が取消可能であるというメッセージを表示するステップをさらに含むことを特徴とする、請求項３に記載の方法。
【請求項７】
Ｐ／Ｆ情報を用いて音楽チャンネル予約録音を行うデジタルマルチメディア放送受信装置であって、
予約録音を指示する制御信号を送信する中央処理部と、該中央処理部とは別体に設けられ、前記中央処理部とプロセス間通信を行うマルチメディアモジュールとを備え、
前記マルチメディアモジュールは、
前記中央処理部から予約録音を指示する制御信号を受信すると、現在再生中の曲においてＰ／Ｆ情報がアップデートされた第１の時点からの第１の経過時間を計時し、予約録音中にＰ／Ｆ情報がアップデートされた第２の時点からの第２の経過時間を計時するタイマーと、
前記タイマーにより計算された第１の経過時間が、前記現在再生中の曲においてアップデートされたＰ／Ｆ情報に含まれる、前記現在再生中の曲の終了時点から、前記第１の時点を減算した第１のインターバル時間になれば、次に再生される曲の録音を開始し、前記タイマーにより計算された第２の経過時間が、前記予約録音中にアップデートされたＰ／Ｆ情報に含まれる、予約録音中の曲の終了時点から、前記第２の時点を減算した第２のインターバル時間になれば、前記予約録音中の曲の録音を終了するマルチメディア制御部と、
を備えることを特徴とする装置。
【請求項８】
前記中央処理部から自動予約録音を指示する制御信号が受信されれば、前記マルチメディア制御部は、前記予約録音中の曲の録音を終了すると同時に、次の曲の予約録音を開始することを特徴とする、請求項７に記載の装置。
【請求項９】
前記アップデートされるＰ／Ｆ情報を格納するメモリ部をさらに含み、
前記中央処理部は、前記現在再生中の曲の終了時点を、以前の曲が前記現在再生中の曲へ転換される時点でアップデートされて前記メモリ部に格納されたＰ／Ｆ情報から抽出することを特徴とする、請求項７に記載の装置。
【請求項１０】
前記中央処理部は、前記予約録音中の曲の終了時点を、前記第１の時点でアップデートされて前記メモリ部に格納されたＰ／Ｆ情報から抽出することを特徴とする、請求項９に記載の装置。
【請求項１１】
音楽チャンネルに対する情報を表示する表示部をさらに含み、
前記中央処理部は、前記メモリ部に格納されたＰ／Ｆ情報から前記現在再生中の曲と次に再生される曲との曲名及び歌手名を抽出して、前記表示部に表示することを特徴とする、請求項９に記載の装置。
【請求項１２】
前記中央処理部は、予約録音が設定されれば、前記次に再生される曲に予約録音が設定されたことを前記表示部に表示することを特徴とする、請求項１１に記載の装置。
【請求項１３】
前記中央処理部は、予約録音が設定されなければ、予約録音の設定が可能であるというメッセージを前記表示部に表示することを特徴とする、請求項１１に記載の装置。
【請求項１４】
前記中央処理部は、予約録音が設定されれば、予約録音の設定が取消可能であるというメッセージを前記表示部に表示することを特徴とする、請求項１１に記載の装置。
【発明の詳細な説明】
【技術分野】
【０００１】
本発明は、デジタルマルチメディア放送に関し、特に、予約録音を行うデジタルマルチメディア放送受信装置及びそれに従う方法に関する。
【背景技術】
【０００２】
デジタルマルチメディア放送のチャンネルはビデオチャンネル及びオーディオチャンネルに分けられ、更に、オーディオチャンネルは音声チャンネル及び音楽チャンネルに分けられる。音楽チャンネルは２４時間音楽が放送されるチャンネルであって、曲単位に予約録音が可能である。予約録音とは、音楽チャンネルにおいて現在の聴取曲に対する次の曲を録音するように設定する機能であって、予約録音が設定された曲はデジタルマルチメディア放送受信装置のメモリに“題目(歌手名)”の音楽ファイルとして格納される。自動予約録音が設定された場合には、予約録音が設定された曲の録音開始時、次の曲にも自動的に予約録音が設定される。ユーザーは、デジタルマルチメディア放送受信装置において、環境設定メニューを介して自動予約録音の設定が可能である。デジタルマルチメディア放送受信が可能な移動通信端末機において、音楽チャンネルの曲を予約録音する方式を、図１のブロック図を参照して詳細に説明する。
【０００３】
図１は、従来のデジタルマルチメディア放送受信が可能な移動通信端末機において、予約録音を行うための構成を示すブロック図である。
【０００４】
移動通信端末機は、音声及びデータ通信機能を支援すると共に、多様なマルチメディア機能を支援するための中央処理部１００を備える。中央処理部１００は、デジタルマルチメディア放送サービスをユーザーに提供するためのマルチメディアモジュール２００を制御する。よって、中央処理部１００は、マルチメディアモジュール２００を介して提供される音楽チャンネルの曲に対する予約録音を制御する。例えば、音楽チャンネルにおいて所定の曲が予約録音された場合、中央処理部１００は、所定の曲の開始時点及び終了時点に対するデータを、ＥＰＧ(Electronic Program Guide)のＥＩＴ(Event Information Table)に含まれたＰ/Ｆ(Present & Follow)情報から抽出する。
【０００５】
Ｐ/Ｆ情報は、一曲が転換される時点でアップデートされるデータであって、転換される曲と次の曲との曲名、歌手名及び開始時点と終了時点に対するデータを含む。よって、予約録音中の曲の終了時点に対するデータは、以前の曲が予約録音中の曲へ転換される時点でアップデートされたＰ/Ｆ情報に含まれる。中央処理部１００は、所定の曲の予約録音前にアップデートされたＰ/Ｆ情報を介して、所定の曲の開始時点及び終了時点に対するデータを抽出して、現在時間が開始時点になれば、録音開始のための制御信号をマルチメディアモジュール２００に転送することで、マルチメディアモジュール２００が録音を開始するように制御する。また、中央処理部１００は、現在時間が終了時点になれば、録音終了のための制御信号をマルチメディアモジュール２００に転送することで、マルチメディアモジュール２００が録音を終了するように制御する。
【０００６】
一方、中央処理部１００において、マルチメディアモジュール２００に転送される制御信号は、ＩＰＣ(Inter Process Communication)通信を介して転送される。現在時間が予約録音する曲の開始時点になれば、中央処理部１００は録音開始のための制御信号をＩＰＣ通信を介してマルチメディアモジュール２００に転送し、マルチメディアモジュール２００は録音を開始する。しかし、マルチメディアモジュール２００が中央処理部１００から録音開始のための制御信号を受信した時点は、ＩＰＣ通信の遅延により、現在時間すなわち予約録音する曲の開始時点よりも遅くなる。よって、以後にユーザーが録音曲を再生すれば、最初から再生されないという問題が発生した。同様に、予約録音を終了する時点の場合にも、ＩＰＣ通信の遅延により、中央処理部１００から録音終了のための制御信号を終了時点よりも遅く受信したマルチメディアモジュール２００は、録音中の曲の再生終了以後に録音を終了させる。
【発明の開示】
【発明が解決しようとする課題】
【０００７】
よって、本発明の目的は、予約録音の時点を正確に調整できるデジタルマルチメディア放送受信装置及びそれに従う方法を提供することにある。
【課題を解決するための手段】
【０００８】
前記目的を達成するために、本発明のデジタルマルチメディア放送受信装置において、Ｐ／Ｆ情報を用いた音楽チャンネル予約録音方法は、中央処理部から予約録音を指示する制御信号を送信するステップと、前記中央処理部からの制御信号を受信したマルチメディアモジュールにより、現在再生中の曲においてＰ／Ｆ情報がアップデートされた第１の時点からの経過時間を計時し、前記現在再生中の曲においてアップデートされたＰ／Ｆ情報に含まれる、前記現在再生中の曲の終了時点から、前記第１の時点を減算した第１のインターバル時間を計算するステップと、前記第１の時点から計時された経過時間が、前記計算された第１のインターバル時間になれば、次に再生される曲の録音を開始するステップと、予約録音中にＰ／Ｆ情報がアップデートされた第２の時点からの経過時間を計時するステップと、前記予約録音中にアップデートされたＰ／Ｆ情報に含まれる、前記予約録音中の曲の終了時点から、前記第２の時点を減算した第２のインターバル時間を計算するステップと、前記第２の時点から計時された経過時間が、前記第２のインターバル時間になれば、前記予約録音中の曲の録音を終了するステップと、を含むことを特徴とする。
【０００９】
また、Ｐ／Ｆ情報を用いて音楽チャンネル予約録音を行うデジタルマルチメディア放送受信装置は、予約録音を指示する制御信号を送信する中央処理部と、該中央処理部とは別体に設けられ、前記中央処理部とプロセス間通信を行うマルチメディアモジュールとを備え、前記マルチメディアモジュールは、前記中央処理部から予約録音を指示する制御信号を受信すると、現在再生中の曲においてＰ／Ｆ情報がアップデートされた第１の時点からの第１の経過時間を計時し、予約録音中にＰ／Ｆ情報がアップデートされた第２の時点からの第２の経過時間を計時するタイマーと、前記タイマーにより計算された第１の経過時間が、前記現在再生中の曲においてアップデートされたＰ／Ｆ情報に含まれる、前記現在再生中の曲の終了時点から、前記第１の時点を減算した第１のインターバル時間になれば、次に再生される曲の録音を開始し、前記タイマーにより計算された第２の経過時間が、前記予約録音中にアップデートされたＰ／Ｆ情報に含まれる、予約録音中の曲の終了時点から、前記第２の時点を減算した第２のインターバル時間になれば、前記予約録音中の曲の録音を終了するマルチメディア制御部と、を備えることを特徴とする。
【発明の効果】
【００１０】
本発明によれば、予約録音の時点を正確に調整することにより、ユーザーが所望する曲を正確に録音できる。
【発明を実施するための最良の形態】
【００１１】
以下、添付図面に基づき、本発明の好適な実施形態を詳細に説明する。また、図面において、従来と同一の構成要素に対しては同じ符号を使用したことを留意すべきである。なお、本発明の説明において、本発明に関連した公知機能や構成についての具体的な説明が、本発明の要旨を不明瞭にすると判断される場合には、その詳細な説明を省略する。
【００１２】
図２は、本発明の実施形態によるデジタルマルチメディア放送受信が可能な移動通信端末機の構成を示すブロック図である。
【００１３】
ＤＭＢ(Digital Multimedia Broadcasting)モジュール３００は、中央処理部１００により選局されたチャンネルに対するデジタルマルチメディア放送データを受信し、これを復調及びデコーディングしてユーザーが認識できる形態の映像データ及び音響データに変換する。また、ＤＭＢモジュール３００は、現在選局されたチャンネルが音楽チャンネルであれば、一曲が転換される時点でアップデートされるＰ/Ｆ情報を受信して中央処理部１００に提供する。移動通信モジュール４００は、通常の通話関連信号及び無線データをアンテナを介して受信して中央処理部１００に出力し、中央処理部１００から出力される通常の通話関連信号及び無線データをアンテナを介して送信する。表示部１０は、ＤＭＢモジュール３００から出力される映像データを中央処理部１００の制御によって表示し、音響出力部２０は、ＤＭＢモジュール３００から出力される音響データを中央処理部１００の制御によって出力する。キー入力部３０は、デジタルマルチメディア放送サービスを用いるためのキーを備え、ユーザーがキーを操作すれば、これに対する信号を中央処理部１００に提供する。メモリ部４０は、移動通信端末機がデジタルマルチメディア放送において音楽チャンネルの提供中に録音される曲を、例えば、“題目(歌手名)”の音楽ファイルとして格納し、ＤＭＢモジュール３００を介して受信されるＰ/Ｆ情報を格納する。
【００１４】
現在選局されたチャンネルが音楽チャンネルであれば、中央処理部１００はＤＭＢモジュール３００を介して音楽チャンネルに対するデジタルマルチメディア放送データを受信し、これを復調及びデコーディングして生成された音響データを音響出力部２０を介して出力する。中央処理部１００は、ＤＭＢモジュール３００を介して受信されてメモリ部４０に格納されたＰ/Ｆ情報から現在再生中の曲と次に再生される曲との曲名及び歌手名に対する情報を抽出し、音楽チャンネル放送画面及びミニＥＰＧ画面を生成して、図２の表示部１０を介して表示する。音楽チャンネル放送画面及びミニＥＰＧ画面を、図３〜図７を参照して詳細に説明する。
【００１５】
中央処理部１００は、現在選局された音楽チャンネル番号、並びに現在再生中の曲と次に再生される曲との曲名及び歌手名を、音楽放送背景画面に図３のように図２の表示部１０を介して表示する。また、中央処理部１００は、現在予約録音が設定されなければ、予約録音を設定するための“予約録音”というメッセージを音楽放送背景画面に表示する。また、図３の状態において、ユーザーがミニＥＰＧ画面へ進入するためのメニューキーを入力すれば、キー入力部３０はこれに対する信号を中央処理部１００に提供する。これにより、中央処理部１００は、現在選局された音楽チャンネル番号、並びに現在再生中の曲名と歌手名を、ミニＥＰＧ画面に図４のように表示部１０を介して表示する。図４の状態において右方向キーが入力されれば、次に再生される曲に対するミニＥＰＧ画面が図５のように表示され、図５の状態において左方向キーが入力されれば、更に現在再生中の曲に対するミニＥＰＧ画面である図４が表示される。すなわち、ユーザーが図４の状態において右方向キーを入力すれば、図２のキー入力部３０はこれに対する信号を中央処理部１００に提供する。これにより、中央処理部１００は、次に再生される曲に対するミニＥＰＧ画面を、図５のように表示部１０を介して表示する。
【００１６】
ユーザーは、現在選局された音楽チャンネルにおいて再生中の音楽を音響出力部２０を介して聴取しながら、表示部１０を介して次に再生される曲を確認して録音したい場合に予約録音を設定できる。予約録音を設定するために、所定のキーをユーザーが入力すれば、キー入力部３０はこれに対する信号を中央処理部１００に提供する。そして、中央処理部１００は、予約録音が設定されたことを示すために、音楽放送背景画面において次に再生される曲名の先にアイコンを表示し、予約録音設定のための“予約録音”というメッセージを“予約録音取消”に変更して、予約録音を更に取消すことが出来ることを図６のように示す。また、次に再生される曲に対するミニＥＰＧ画面においても、中央処理部１００は曲名の先にアイコンを図７のように表示する。
【００１７】
また、中央処理部１００は、次に再生される曲の予約録音のための制御信号をマルチメディアモジュール２００に転送する。本発明の実施形態によるマルチメディアモジュール２００は、予約録音の時点を正確に調整するために、図２のようにタイマー２１０及びマルチメディア制御部２２０を備える。よって、中央処理部１００から予約録音に対する制御信号が転送されれば、以後の予約録音のための制御動作は、従来のように中央処理部１００により行われず、マルチメディア制御部２２０及びタイマー２１０により行われる。以後、本発明の実施形態によりマルチメディア制御部２２０及びタイマー２１０を介して予約録音を行う方式について詳細に説明する。
【００１８】
タイマー２１０は、現在再生中の曲からＰ/Ｆ情報がアップデートされれば、その時点から時間を計算し、マルチメディア制御部２２０は現在再生中の曲の終了時点からＰ/Ｆ情報がアップデートされた時点を減算した第１のインターバル(interval)時間を計算する。現在再生中の曲の終了時点に対するデータは以前の曲が現在再生中の曲へ転換される時点でアップデートされたＰ/Ｆ情報に含まれる。また、マルチメディア制御部２２０は、タイマー２１０により計算された時間が第１のインターバル時間になれば、次に再生される曲の録音を開始する。タイマー２１０により計算された時間が第１のインターバル時間になることで、次に再生される曲の録音が開始される時点は以前の曲が現在再生中の曲へ転換される時点でアップデートされたＰ/Ｆ情報に含まれた現在再生中の曲の終了時点と同一である。すなわち、予約録音のための制御動作が、従来のように中央処理部１００により行われず、マルチメディア制御部２２０により行われることで、IＰＣ通信の遅延による問題が発生しない。これにより、従来のように、以後にユーザーが録音された曲を再生すれば、最初から再生されないという問題は発生しない。
【００１９】
また、タイマー２１０は、予約録音中にＰ/Ｆ情報がアップデートされれば、その時点から時間を計算し、マルチメディア制御部２２０は予約録音中の曲の終了時点からＰ/Ｆ情報がアップデートされた時点を減算した第２のインターバル時間を計算する。予約録音中の曲の終了時点に対するデータは、以前の曲が予約録音中の曲へ転換される時点でアップデートされたＰ/Ｆ情報に含まれる。また、マルチメディア制御部２２０は、タイマー２１０により計算された時間が第２のインターバル時間になれば、予約録音中の曲の録音を終了する。
【００２０】
タイマー２１０により計算された時間が第２のインターバル時間になることで、予約録音中の曲の録音が終了する時点は、以前の曲が予約録音中の曲へ転換される時点でアップデートされたＰ/Ｆ情報に含まれた予約録音中の曲の終了時点と同一である。すなわち、マルチメディア制御部２２０は、録音中の曲をＰ/Ｆ情報による終了時点で正確に終了させる。これにより、従来のように、録音中の曲の再生終了以後に録音が終了するという問題点は発生しない。
【００２１】
一方、マルチメディア制御部２２０は、自動予約録音が設定されることで、予約録音中の曲に対する次の曲も予約録音する場合に、前述した方式により、予約録音中の曲の録音が終了する時点で次の曲の予約録音を開始する。すなわち、自動予約録音設定により、連続して予約録音される曲はＰ/Ｆ情報による終了時点で正確に録音が終了されると同時に、次の曲の予約録音が開始される。以後、音楽チャンネルにおいて予約録音する方式を、時間座標上から連続的に再生される曲を順に示す図８のタイミング図を参照して詳細に説明する。
【００２２】
図８は、本発明の実施形態により音楽チャンネルにおいて予約録音する方式を説明するためのタイミング図である。
【００２３】
現在再生中の曲をＢ、以前に再生された曲をＡ、以後に再生される曲をＣとする。それぞれの曲の開始時点及び終了時点に対するデータは、それぞれの曲へ以前の曲が転換される時点でアップデートされたＰ/Ｆ情報に含まれる。例えば、現在再生中のＢの開始時点及び終了時点に対するデータは、Ｂの以前に再生されたＡがＢに転換される時点でアップデートされたＰ/Ｆ情報に含まれ、Ｃの開始時点及び終了時点に対するデータは、以前のＢがＣに転換される時点でアップデートされるＰ/Ｆ情報に含まれる。
【００２４】
ユーザーは、現在のＢを音響出力部２０を介して聴取しながら、表示部１０を介して次に再生されるＣを確認して録音することを決定する。これにより、ユーザーが予約録音を設定するために所定のキーを入力すれば、キー入力部３０はこれに対する信号を中央処理部１００に提供する。そして、中央処理部１００は、予約録音が設定されることを示すための表示を音楽放送背景画面及びミニＥＰＧ画面に図６及び図７のように示す。
【００２５】
また、中央処理部１００は、Ｃを予約録音するための制御信号をマルチメディアモジュール２００に転送する。中央処理部１００から予約録音に対する制御信号が転送されれば、タイマー２１０は現在再生中のＢからＰ/Ｆ情報がアップデートされるか否かを判別して、Ｐ/Ｆ情報がアップデートされれば、その時点から時間を計算する。また、マルチメディア制御部２２０は、Ｂの終了時点からＰ/Ｆ情報がアップデートされた時点を減算した第１のインターバル時間を計算する。Ｂの終了時点に対するデータは、ＡがＢに転換される時点でアップデートされたＰ/Ｆ情報に含まれる。以後、マルチメディア制御部２２０は、タイマー２１０により計算された時間が第１のインターバル時間になれば、Ｃの録音を開始する。タイマー２１０により計算された時間が第１のインターバル時間になることで、Ｃの録音が開始される時点はＡがＢに転換される時点でアップデートされたＰ/Ｆ情報に含まれたＢの終了時点と同一である。
【００２６】
また、タイマー２１０は、Ｃを予約録音中にＰ/Ｆ情報がアップデートされるか否かを判別して、Ｐ/Ｆ情報がアップデートされれば、その時点から時間を計算する。また、マルチメディア制御部２２０は、Ｃの終了時点からＰ/Ｆ情報がアップデートされた時点を減算した第２のインターバル時間を計算する。Ｃの終了時点に対するデータはＢがＣに転換される時点でアップデートされたＰ/Ｆ情報に含まれる。マルチメディア制御部２２０は、タイマー２１０により計算された時間が第２のインターバル時間になれば、Ｃの録音を終了する。
【００２７】
タイマー２１０により計算された時間が第２のインターバル時間になることで、Ｃの録音が終了する時点はＢがＣに転換される時点でアップデートされたＰ/Ｆ情報に含まれたＣの終了時点と同一である。次に、本発明の実施形態によるデジタルマルチメディア放送受信装置において、予約録音の時点を正確に調整して録音するステップを、図９のフローチャートを参照して詳細に説明する。
【００２８】
デジタルマルチメディア放送受信装置のユーザーが音楽チャンネルを選局することにより、ＤＭＢモジュール３００を介して選局された音楽チャンネルに対するデジタルマルチメディア放送データが受信され、復調及びデコーディングされて音響データが生成されれば、中央処理部１００はこれを音響出力部２０を介して出力する。また、中央処理部１００は、ＤＭＢモジュール３００を介して受信されてメモリ部４０に格納されたＰ/Ｆ情報から現在再生中の曲と次に再生される曲との曲名及び歌手名に対する情報を抽出して、音楽チャンネル放送画面及びミニＥＰＧ画面を生成して表示部１０を介して表示する。これにより、ユーザーは、現在選局された音楽チャンネルにおいて再生中の音楽を音響出力部２０を介して聴取しながら、表示部１０を介して表示される音楽チャンネル放送画面又はミニＥＰＧ画面を通して、現在再生中の曲と次に再生される曲の情報を確認できる。
【００２９】
ユーザーは、表示部１０を介して次に再生される曲を確認し、予約録音を設定するために所定のキーを入力できる。ユーザーが予約録音を設定するために所定のキーを入力すれば、キー入力部３０はこれに対する信号を中央処理部１００に出力する。音響出力部２０及び表示部１０を介して、音楽チャンネルに対するデジタルマルチメディア放送サービスを提供している中央処理部１００は、予約録音を設定するために所定のキーが入力されたか否かをキー入力部３０を介して判別する(段階Ｓ１０)。
【００３０】
段階Ｓ１０において、キー入力部３０を介して予約録音を設定するために所定のキーが入力されれば、中央処理部１００は次に再生される曲を予約録音するための制御信号をマルチメディアモジュール２００に転送する(段階Ｓ２０)。また、中央処理部１００は、予約録音が設定されることを音楽放送背景画面及びミニＥＰＧ画面に図６及び図７のように示す。段階Ｓ２０以後は、予約録音のための制御動作が、中央処理部１００により行われず、マルチメディアモジュール２００により行われる。
【００３１】
中央処理部１００から予約録音に対する制御信号が転送されれば、マルチメディアモジュール２００のマルチメディア制御部２２０は、現在再生中の曲にＰ/Ｆ情報がアップデートされるか否かを判別する(段階Ｓ１００)。段階Ｓ１００において、Ｐ/Ｆ情報がアップデートされれば、マルチメディア制御部２２０は、その時点から時間を計算するためのタイマー２１０を駆動させる(段階Ｓ１１０)。続いて、マルチメディア制御部２２０は、現在再生中の曲の終了時点からＰ/Ｆ情報がアップデートされた時点を減算した第１のインターバル時間を計算する(段階Ｓ１２０)。現在再生中の曲の終了時点に対するデータは、以前の曲が現在再生中の曲へ転換される時点でアップデートされたＰ/Ｆ情報に含まれる。タイマー２１０が駆動されると同時に第１のインターバル時間が計算された後に、マルチメディア制御部２２０は、タイマー２１０により計算された時間が第１のインターバル時間になったか否かを判別する(段階Ｓ１３０)。
【００３２】
段階Ｓ１３０において、タイマー２１０により計算された時間が第１のインターバル時間になれば、マルチメディア制御部２２０は、次に再生される曲の録音を開始する(段階Ｓ１４０)。タイマー２１０により計算された時間が第１のインターバル時間になることにより、次に再生される曲の録音が開始される時点は、以前の曲が現在再生中の曲へ転換される時点でアップデートされたＰ/Ｆ情報に含まれた現在再生中の曲の終了時点と同一である。
【００３３】
また、マルチメディア制御部２２０は、予約録音中にＰ/Ｆ情報がアップデートされるか否かを判別する(段階Ｓ１５０)。段階Ｓ１５０において、Ｐ/Ｆ情報がアップデートされれば、マルチメディア制御部２２０はその時点から時間を計算するためのタイマー２１０を駆動させる(段階Ｓ１６０)。続いて、マルチメディア制御部２２０は、予約録音中の曲の終了時点からＰ/Ｆ情報がアップデートされた時点を減算した第２のインターバル時間を計算する(段階Ｓ１７０)。予約録音中の曲の終了時点に対するデータは、以前の曲が予約録音中の曲へ転換される時点でアップデートされたＰ/Ｆ情報に含まれる。タイマー２１０が駆動されると同時に第２のインターバル時間が計算された後に、マルチメディア制御部２２０は、タイマー２１０により計算された時間が第２のインターバル時間になったか否かを判別する(段階Ｓ１８０)。
【００３４】
段階Ｓ１８０において、タイマー２１０により計算された時間が第２のインターバル時間になれば、マルチメディア制御部２２０は、自動予約録音が設定されたか否かを判別する(段階Ｓ１９０)。段階Ｓ１９０において、自動予約録音が設定されれば、マルチメディア制御部２２０は、予約録音中の曲の録音を終了(段階Ｓ２００)すると同時に、次の曲の録音を開始し、段階Ｓ１５０を進行する。一方、段階Ｓ１９０において、タイマー２１０により計算された時間が第２のインターバル時間になることにより、録音が終了する時点は、以前の曲が予約録音中の曲へ転換される時点でアップデートされたＰ/Ｆ情報に含まれた予約録音中の曲の終了時点と同一である。
【００３５】
なお、本発明の詳細な説明では具体的な実施形態について説明したが、本発明の要旨から逸脱しない範囲内で多様に変形できる。よって、本発明の範囲は、前述の実施形態に限定されるものではなく、特許請求の範囲の記載及びこれと均等なものに基づいて定められるべきである。
【図面の簡単な説明】
【００３６】
【図１】従来のデジタルマルチメディア放送受信が可能な移動通信端末機のいて、予約録音を行うための構成を示すブロック図である。
【図２】本発明の実施形態によるデジタルマルチメディア放送受信が可能な移動通信端末機の構成を示すブロック図である。
【図３】本発明の実施形態による音楽チャンネルのために提供される画面の例示図である。
【図４】本発明の実施形態による音楽チャンネルのために提供される画面の例示図である。
【図５】本発明の実施形態による音楽チャンネルのために提供される画面の例示図である。
【図６】本発明の実施形態による音楽チャンネルのために提供される画面の例示図である。
【図７】本発明の実施形態による音楽チャンネルのために提供される画面の例示図である。
【図８】本発明の実施形態による音楽チャンネルにおける予約録音方式を説明するためのタイミング図である。
【図９】本発明の実施形態による予約録音のステップを示すフローチャートである。
【符号の説明】
【００３７】
１００  中央処理部
２００  マルチメディアモジュール
２１０  タイマー
２２０  マルチメディア制御部
３００  ＤＭＢモジュール
【図１】
0004430637.tif 000002
【図２】
0004430637.tif 000003
【図３】
0004430637.tif 000004
【図４】
0004430637.tif 000005
【図５】
0004430637.tif 000006
【図６】
0004430637.tif 000007
【図７】
0004430637.tif 000008
【図８】
0004430637.tif 000009
【図９】
0004430637.tif 000010